(57)【要約】【課題】コンテンツに対するユーザの理解及び操作を補助する管理装置、プログラム及び表示システムを提供することを目的とする。【解決手段】表示装置の表示面に表示されるコンテンツを管理する管理装置であって、前記表示面中の一の領域にユーザが接近したことを表す通知を受信する受信部と、前記通知に応じて、前記表示面における前記一の領域の位置を決定する決定部と、前記位置に、前記表示面に表示されているコンテンツと関連する関連コンテンツを表示させる制御部と、を有する、管理装置を提供する。【選択図】図４
2014170040.tif 000002
【特許請求の範囲】
【請求項１】
表示装置の表示面に表示されるコンテンツを管理する管理装置であって、
前記表示面中の一の領域にユーザが接近したことを表す通知を受信する受信部と、
前記通知に応じて、前記表示面における前記一の領域の位置を決定する決定部と、
前記位置に、前記表示面に表示されているコンテンツと関連する関連コンテンツを表示させる制御部と、
を有する、管理装置。
【請求項２】
前記関連コンテンツは、前記表示面に表示されているコンテンツを縮小したコンテンツである、
請求項１に記載の管理装置。
【請求項３】
前記関連コンテンツは、前記表示面に表示されているコンテンツに関する情報へのリンクを含む、
請求項１又は２に記載の管理装置。
【請求項４】
前記通知は、前記一の領域に対応して設置されたセンサから送信される、
請求項１乃至３の何れか一項に記載の管理装置。
【請求項５】
前記制御部は、前記表示面に表示されているコンテンツが、前記ユーザと関連がないコンテンツである場合には、前記関連コンテンツを表示させない、
請求項１乃至４の何れか一項に記載の管理装置。
【請求項６】
前記制御部は、前記表示面に表示されているコンテンツが、前記ユーザと関連があるコンテンツである場合に、前記関連コンテンツを表示させる、
請求項１乃至５の何れか一項に記載の管理装置。
【請求項７】
前記コンテンツと前記ユーザとを関連付けるテーブルを用いて、前記コンテンツが前記ユーザと関連するかどうか判定する判定部
を有する、請求項５又は６に記載の管理装置。
【請求項８】
前記制御部は、前記関連コンテンツを表示させた後に、前記ユーザの操作情報を受信することなく所定時間が経過した場合には、前記関連コンテンツの表示を停止する、
請求項１乃至７の何れか一項に記載の管理装置。
【請求項９】
表示装置の表示面に表示されるコンテンツを管理する管理方法をコンピュータに実行させるプログラムであって、前記管理方法は、
前記表示面中の一の領域にユーザが接近したことを表す通知を受信する受信ステップと、
前記通知に応じて、前記表示面における前記一の領域の位置を決定する決定ステップと、
前記位置に、前記表示面に表示されているコンテンツと関連する関連コンテンツを表示させる表示ステップと、
を有する、プログラム。
【請求項１０】
複数の領域によって構成される表示面を有する表示装置と、該表示面に表示されるコンテンツを管理する管理装置とを有する表示システムであって、
前記管理装置は、
前記表示面中の一の領域にユーザが接近したことを表す通知を受信する受信部と、
前記表示面における前記一の領域の位置を決定する決定部と、
前記位置に、前記表示面に表示されているコンテンツと関連する関連コンテンツを表示させる制御部と、
を有し、
前記表示装置は、
前記関連コンテンツを、前記一の領域に出力する出力部
を有する、表示システム。
【発明の詳細な説明】
【技術分野】
【０００１】
本発明は、管理装置、プログラム及び表示システムに関する。
【背景技術】
【０００２】
近年、デジタルサイネージと呼ばれる、公共の場所に設置された、プロジェクタやディスプレイ等の映像出力端末が普及している。デジタルサイネージ端末は、多数の人目に付く場所（街角、店舗、駅等）に設置され、映像や音声等のコンテンツを大画面に出力することで、高い広告効果を発揮する。デジタルサイネージは、例えば、ビルや駅構内の大きな壁面のように、場所ごとに異なるコンテンツを出力することにより、広告効果を高める工夫を行なっている。
【０００３】
広告効果をより高めることを目的として、例えば特許文献１は、デジタルサイネージ端末（映像出力端末）の周辺に位置する視聴者に関係するデモグラフィック情報のうち、最も関連性の高い広告コンテンツを選択する技術を開示している。
【発明の概要】
【発明が解決しようとする課題】
【０００４】
デジタルサイネージは、ユーザからの入力操作（例えば、ジェスチャ操作やタッチ操作）を受け付け、その操作に応じて、出力するコンテンツを変更したり、新たな情報を表示したりすることができる。しかし、例えば通路やビルの壁面のように、ユーザの手が届かない範囲にまで及ぶような、大画面にコンテンツを出力している場合、ユーザは、各種操作を実行可能な距離まで映像に近づくことができない。また、ユーザが、デジタルサイネージ端末の表示面に接近すると、コンテンツの全体像を把握することができない。
【０００５】
従って、ユーザは、上記のようなコンテンツの内容の理解や、コンテンツ上に表示された項目に対する操作が困難となる。従来の技術では、上記のような課題を解決することができない。
【０００６】
本発明は、このような問題に鑑みてなされたものであり、表示されたコンテンツに対するユーザの理解及び操作を補助する管理装置、プログラム及び表示システムを提供することを目的とする。
【課題を解決するための手段】
【０００７】
上述した課題を解決し目的を達成するため、本発明の一実施形態における管理装置は、
表示装置の表示面に表示されるコンテンツを管理する管理装置であって、
前記表示面中の一の領域にユーザが接近したことを表す通知を受信する受信部と、
前記通知に応じて、前記表示面における前記一の領域の位置を決定する決定部と、
前記位置に、前記表示面に表示されているコンテンツと関連する関連コンテンツを表示させる制御部と、
を有する。
【０００８】
また、本発明の一実施形態におけるプログラムは、
表示装置の表示面に表示されるコンテンツを管理する管理方法をコンピュータに実行させるプログラムであって、前記管理方法は、
前記表示面中の一の領域にユーザが接近したことを表す通知を受信する受信ステップと、
前記通知に応じて、前記表示面における前記一の領域の位置を決定する決定ステップと、
前記位置に、前記表示面に表示されているコンテンツと関連する関連コンテンツを表示させる表示ステップと、
を有する。
【０００９】
また、本発明の一実施形態における表示システムは、
複数の領域によって構成される表示面を有する表示装置と、該表示面に表示されるコンテンツを管理する管理装置とを有する表示システムであって、
前記管理装置は、
前記表示面中の一の領域にユーザが接近したことを表す通知を受信する受信部と、
前記表示面における前記一の領域の位置を決定する決定部と、
前記位置に、前記表示面に表示されているコンテンツと関連する関連コンテンツを表示させる制御部と、
を有し、
前記表示装置は、
前記関連コンテンツを、前記一の領域に出力する出力部
を有する。
【発明の効果】
【００１０】
本発明の一実施形態における管理装置、プログラム又は表示システムにより、表示されたコンテンツに対するユーザの理解及び操作を補助することができる。
【図面の簡単な説明】
【００１１】
【図１】本発明の一実施形態における表示システムの概要を表す図。
【図２】本発明の一実施形態における管理装置のハードウェア構成例を表す図。
【図３】本発明の一実施形態における移動通信端末のハードウェア構成例を表す図。
【図４】本発明の一実施形態における表示システムの機能ブロック図。
【図５】表示領域情報を格納するテーブルの例を表す図。
【図６】表示領域定義情報を格納するテーブルの例を表す図。
【図７】関連コンテンツ情報を格納するテーブルの例を表す図。
【図８】本発明の一実施形態における管理装置の処理の流れを表すフローチャート。
【図９】本発明の一実施形態における表示システムの動作例を表すシーケンス図。
【図１０】本発明の一実施形態における表示システムの機能ブロック図。
【図１１】ユーザ情報を格納するテーブルの例を表す図。
【図１２】本発明の一実施形態における管理装置の処理の流れを表すフローチャート。
【図１３】本発明の一実施形態における表示システムの動作例を表すシーケンス図。
【発明を実施するための形態】
【００１２】
以下、本発明の実施形態を図面に基づいて説明する。
【００１３】
１．  システムの概要
２．  ハードウェア構成
３．  機能
４．  動作例
５．  変形例
【００１４】
≪  １．  システムの概要  ≫
図１は、本発明の一実施形態における表示システム１の概要を表す。表示システム１は、管理装置１０と、表示装置３０とを含む。また、表示システム１は、移動通信端末２０と、センサ４０（個別のセンサを４０Ａ、４０Ｂ・・・と表現する）を含み得る。管理装置１０と、表示装置３０と、センサ４０は、例えばインターネット又はＬＡＮのような、ネットワーク６０で接続されている。また、移動通信端末２０と、センサ４０は、例えばＰＡＮ（Personal Area Network）ような、ネットワーク７０で接続されている。
【００１５】
表示装置３０は、ビルや駅構内の壁面等を用いてコンテンツを表示するデジタルサイネージ端末であり、ここでは、ユーザの手が直接届かない程度に大きな表示面を有する装置である。表示面は、一枚のタッチパネルディスプレイで構成されるか、あるいは、複数のタッチパネルディスプレイの組み合わせによって構成される。いずれの場合においても、表示面は、複数の表示領域３０Ａ、３０Ｂ、・・・によって構成される。図１において、複数の表示領域は、点線で囲まれた領域に対応する。通常、複数の表示領域は、一体となって、一枚の表示面を構成し、後述する管理装置１０からの制御によって、一のコンテンツ（文字、静止画像、静止画像のスライドショー、動画又はそれらの組み合わせ等）を映し出す。
【００１６】
一方、表示装置３０を構成する複数の表示領域の夫々の近傍には、センサ４０が設置される。センサ４０は、ユーザの接近を検知することが可能な、赤外線、超音波、可視光又はステレオカメラ等による人感センサである。また、センサ４０は、ＰＡＮ又はピアツーピア接続により、移動通信端末２０と通信可能な手段を備えている。
【００１７】
センサ４０は、ユーザの接近を検知すると、その旨を管理装置１０に通知する。当該通知を受け取った管理装置１０は、ユーザの接近を検知したセンサの近傍の表示領域に、現在表示中のコンテンツと関連する関連コンテンツを表示させる。関連コンテンツとは、例えば、現在表示中のコンテンツの縮小版のコンテンツである。ユーザは、表示面の近傍では、表示面全体に表示中のコンテンツ全体を確認することが困難であるが、近くの表示領域に表示された縮小版のコンテンツにより、その内容を把握できる。
【００１８】
また、表示領域に表示される関連コンテンツの別の例として、表示面全体に表示中のコンテンツに対するアクションの一覧を表すリストがある。当該リストは、例えばコンテンツが商品の宣伝に関するものであった場合、その商品の詳細情報が掲載されたページへのリンクや、その商品の最寄の販売店への地図へのリンクを、メニュー形式で項目として表示する。これは、デジタルサイネージ端末の表示面が非常に大きい場合、メニュー形式の項目が、手の届かない位置に表示される可能性があるような場合に、有用である。
【００１９】
なお、表示装置３０は、タッチセンサ及び液晶ディスプレイによって構成されるタッチパネルディスプレイである代わりに、プロジェクタのような投影手段と、接触面を検知する手段を備えた装置であってもよい。表示装置３０は、表示手段と、タッチ操作による入力を受け付ける手段とを備える、任意の装置であってもよい。
【００２０】
管理装置１０は、表示装置３０の表示面に表示されるコンテンツを管理する。管理装置１０は、表示領域と、その表示領域の近傍のセンサとを関連付けるテーブルを保持している。従って、センサからユーザの接近を示す通知を受信すると、対応する表示領域に、関連コンテンツを表示させることができる。
【００２１】
このように、本発明の一実施形態における表示システム１は、ユーザが接近した表示領域に、現在表示中であったコンテンツの関連コンテンツを表示することができる。これにより、ユーザは、表示面全体に表示されるコンテンツの全体像を把握することが容易になり、また、大きな表示面を有するデジタルサイネージ端末上で、所望のタッチ操作を行うことが可能となる。
【００２２】
≪  ２．  ハードウェア構成  ≫
【００２３】
≪  管理装置  ≫
図２は、本発明の一実施形態における管理装置１０のハードウェア構成例を表す。管理装置１０は、ＣＰＵ１１と、ＲＡＭ１２と、ＲＯＭ１３と、ＨＤＤ１４と、キーボード１５と、マウス１６と、ディスプレイ１７と、ＮＩＣ（Network Interface Card）１８とを有する。
【００２４】
ＣＰＵ１１は、管理装置１０の動作制御を行うプログラムを実行する。ＲＡＭ１２は、ＣＰＵ１１のワークエリアを構成する。ＲＯＭ１３は、ＣＰＵ１１が実行するプログラムや、プログラムの実行に必要なデータを記憶する。ＨＤＤ１４は、詳しくは後述するが、センサの識別子と表示領域とを関連付ける表示領域情報や、表示領域の具体的な位置を定義する表示領域定義情報等を格納する。ＨＤＤ１４は、磁気ディスクや、ソリッドステートディスクのような記憶装置であってもよい。
【００２５】
キーボード１５及びマウス１６は、管理装置１０の管理者等からの入力を受け付ける装置である。ディスプレイ１７は、管理装置１０の管理者等に情報を提示する装置である。ＮＩＣ１８は、例えばイーサネット（登録商標）によるＬＡＮと接続するための通信インターフェースである。バス１９は、上記の各装置を相互に接続する。
【００２６】
なお、図２の管理装置１０は、単一のコンピュータによって構成されているが、複数のコンピュータにまたがって構成されてもよい。また、そのような複数のコンピュータのそれぞれが、図２に示された装置の一部を有し、全体として、図２に示した装置を実現するよう構成されてもよい。
【００２７】
≪  移動通信端末  ≫
図３は、本発明の一実施形態における移動通信端末２０のハードウェア構成例を表す。移動通信端末２０は、ＣＰＵ２１と、ＲＡＭ２２と、ＲＯＭ２３と、タッチパネル２４と、ディスプレイ２５と、カメラ２６と、無線通信装置２７と、ＧＰＳ受信装置２８とを有する。
【００２８】
ＣＰＵ２１は、移動通信端末２０の動作制御を行うプログラムを実行する。ＲＡＭ２２は、ＣＰＵ２１のワークエリアを構成する。ＲＯＭ２３は、ＣＰＵ２１が実行するプログラムや、プログラムの実行に必要なデータを記憶する。
【００２９】
タッチパネル２４は、ユーザからの操作入力を受け付ける装置である。ディスプレイ２５は、ユーザに情報を提示する装置である。カメラ２６は、ＣＭＯＳ(Complementary Metal Oxide Semiconductor)又はＣＣＤ（Charge Coupled Device）等のセンサを搭載する撮像装置である。無線通信装置２７は、３Ｇ若しくは４Ｇネットワーク、無線ＬＡＮ、ＰＡＮ等により、外部の装置と通信する装置である。ＧＰＳ受信装置２８は、ＧＰＳ又は屋内向け測位技術であるＩＭＥＳ（Indoor Messaging System）等に準拠した測位信号を受信する装置である。バス２９は、上記の各装置を相互に接続する。
【００３０】
なお、図３の移動通信端末３０は、スマートフォンの例を示したが、本発明の一実施形態における移動通信端末は、Bluetooth（登録商標）のような近距離無線通信規格に従って外部の装置と通信するための無線通信装置を備える任意の装置であってもよい。
【００３１】
≪  ３．  機能  ≫
図４は、本発明の一実施形態における表示システム１の機能ブロック図である。
【００３２】
図４のセンサ４０は、識別子格納部４０１と、検出部４０２と、通知部４０３とを有する。
【００３３】
識別子格納部４０１は、表示システム１においてセンサを一意に特定する識別子を格納する。表示システム１内のセンサの識別子は、後述する、管理装置１０によって管理される。
【００３４】
検出部４０２は、赤外線、超音波、可視光又はステレオカメラ等により、ユーザの接近を検出する。検出部４０２は、当該センサに対応する表示領域を基準として、所定の距離離れた位置までの範囲のユーザの動きを検出するように構成される。所定の距離は、表示領域の大きさや、表示装置３０が設置される環境に応じて、任意に設定される。
【００３５】
通知部４０３は、検出部４０２がユーザの接近を検出すると、その旨を、識別子格納部４０１に格納された識別子とともに、管理装置１０に通知する。当該通知は、ネットワーク６０を介して、管理装置１０に送信される。
【００３６】
図４の表示装置３０は、コンテンツ受信部３０１と、出力部３０２と、操作受付部３０３と、操作情報送信部３０４とを有する。
【００３７】
コンテンツ受信部３０１は、ネットワーク６０を介して、管理装置１０から送信されたコンテンツを受信する。コンテンツは、例えば、文字、静止画像、静止画像のスライドショー、動画又はそれらの組み合わせである。また、コンテンツ受信部３０１は、受信したコンテンツの表示位置に関する情報も受信する。
【００３８】
出力部３０２は、コンテンツ受信部３０１が受信したコンテンツを、表示位置に関する情報に従って、表示面の所定の位置に出力する。本発明の一実施形態における表示装置３０の出力部３０２は、当初、表示面全体に、あるコンテンツを出力する。一方、上述したセンサ４０がユーザの接近を検出した場合、出力部３０２は、管理装置１０から受信した関連コンテンツを、所定の表示位置（ユーザの接近を検出したセンサに対応する表示領域）に表示する。関連コンテンツは、例えば、現在表示中のコンテンツの縮小コンテンツや、当初表示されていたコンテンツに関する詳細情報を含むページへのリンクのリストである。このとき、出力部３０２は、他の表示領域には、当初出力していたコンテンツを継続して出力する。
【００３９】
操作受付部３０３は、表示面上でのユーザの操作（タッチによる選択操作、ジェスチャ操作等）を受け付ける。例えば、出力部３０２が、ある表示領域に、コンテンツに関する詳細情報を含むページへのリンクのリストを出力しているとき、ユーザは、リストの中の一のリンクを選択することができる。操作受付部３０３は、何れの項目が選択されたかを特定するための情報を、操作情報として、操作情報送信部３０４に渡す。
【００４０】
操作情報送信部３０４は、操作受付部３０３から受け取った操作情報を、ネットワーク６０を介して、管理装置１０に送信する。
【００４１】
図４の管理装置１０は、通知受信部１０１と、表示領域情報格納部１０２と、表示領域定義情報格納部１０３と、表示領域決定部１０４と、コンテンツ格納部１０５と、関連コンテンツ情報格納部１０６と、コンテンツ出力制御部１０７と、コンテンツ送信部１０８と、操作情報受信部１０９とを有する。
【００４２】
通知受信部１０１は、センサ４０の通知部４０３から送信された通知及びセンサの識別子を受信すると、当該識別子を、表示領域決定部１０４に渡す。
【００４３】
表示領域情報格納部１０２は、図５に例示されるテーブルにより、表示領域情報を格納する。図５の表示領域情報は、センサの識別子と、そのセンサの近傍の表示領域の名前を示す表示領域名とを関連付ける。図５の例では、識別子「ｓ１」のセンサは、表示領域名「３０ａ」の表示領域に対応して設置されている。
【００４４】
表示領域定義情報格納部１０３は、図６に例示されるテーブルにより、表示領域定義情報を格納する。図６の表示領域定義情報は、図５の表示領域情報に含まれる表示領域名と、その表示領域の、表示装置３０の表示面上での実際の座標とを関連付ける。例えば、表示領域名「３０ａ」の表示領域は、左下の端部の座標が表示面上の、（０，０）ピクセルの位置であり、右上の端部の座標が（１９１９，１０７９）ピクセルの位置である、矩形によって表される領域である。ここでは、便宜上、表示面に向かって左下の端部の座標を（０，０）としたが、任意の座標を用いることができる。また、表示面上の位置を特定するために、ピクセルによる座標以外を用いた、任意の方法が用いられ得る。
【００４５】
表示領域決定部１０４は、通知受信部１０１から受け取ったセンサの識別子をキーとして、表示領域情報格納部１０２に格納された表示領域情報を参照し、対応する表示領域の表示領域名を特定する。そして、表示領域決定部１０４は、特定した表示領域名の示す表示領域を、新たに表示する関連コンテンツの表示領域として決定する。
【００４６】
コンテンツ格納部１０５は、表示装置３０に表示される、例えば、文字、静止画像、静止画像のスライドショー、動画又はそれらの組み合わせ等のコンテンツを、任意の形式で格納する。また、コンテンツ格納部１０５は、センサ４０がユーザを検知したときに表示される、上記コンテンツの縮小コンテンツや、上記コンテンツに関する情報を含むページへのリンクのリストも格納する。
【００４７】
関連コンテンツ情報格納部１０６は、図７に例示されるテーブルにより、関連コンテンツ情報を格納する。図７の関連コンテンツ情報は、コンテンツの名前を示すコンテンツ名と、当該コンテンツに関連するコンテンツの名前を示す関連コンテンツ名とを関連付ける。コンテンツ名は、当初から表示装置３０の表示面に表示されているコンテンツの名前を表す。関連コンテンツ名は、センサ４０がユーザの接近が感知したとき、そのセンサに対応する表示領域に表示されるコンテンツの名前を表す。コンテンツ名及び関連コンテンツ名は、図示しないテーブル等により、コンテンツ格納部１０５に格納されたコンテンツの本体と関連付けられる。
【００４８】
図７の例では、ある商品の画像のスライドショーであるコンテンツ「slideshow_full」は、そのスライドショーの縮小版であるコンテンツ「slideshow_small」と関連付けられる。また、ある商品の紹介動画であるコンテンツ「new_product_movie」は、その商品と関連する詳細ページや、その商品を購入可能な店舗への地図のページへのリンクを含むリスト「related_link」と関連付けられる。
【００４９】
コンテンツ出力制御部１０７は、表示装置３０の表示面に出力されるコンテンツを制御する。コンテンツ出力制御部１０７は、当初、コンテンツ格納部１０５に格納された所定のコンテンツを、コンテンツ送信部１０８を介して表示装置３０に送信し、出力させる。また、コンテンツ出力制御部１０７は、通知受信部１０１からの通知に応じて、図７の関連コンテンツ情報を参照し、現在表示装置３０に表示中のコンテンツのコンテンツ名と対応する関連コンテンツの関連コンテンツ名を特定する。そして、コンテンツ出力制御部１０７は、特定した関連コンテンツを、後述するコンテンツ送信部１０８を介して表示装置３０に送信し、表示領域決定部１０４が決定した表示領域に出力させる。このとき、コンテンツ出力制御部１０７は、表示装置３０がコンテンツの表示位置を特定できるように、表示領域名、又は、その表示領域名に対応する座標を、コンテンツの表示位置に関する情報として、表示装置３０に送信する。表示領域名に対応する座標は、図６に例示される表示領域定義情報を参照することによって、特定される。
【００５０】
また、コンテンツ出力制御部１０７は、後述する、操作情報受信部１０９が受信した操作情報に応じて、特定の表示領域に出力されていたコンテンツを更新する。例えば、表示装置３０の特定の表示領域に、商品の詳細ページや、その商品を購入可能な店舗への地図のページへのリンクを含むリストが表示されていたものとする。ここで、商品の詳細ページへのリンクが選択されたことを表す選択情報を受信したとき、コンテンツ出力制御部１０７は、その詳細ページの内容を、コンテンツとして、表示装置３０に送信する。なお、表示領域は、直前のコンテンツを出力していた表示領域と同一である。
【００５１】
コンテンツ送信部１０８は、コンテンツ出力制御部１０７から受け取ったコンテンツと、コンテンツの表示位置に関する情報を、ネットワーク６０を介して、表示装置３０に送信する。
【００５２】
操作情報受信部１０９は、表示装置３０から送信された、操作情報を受信し、当該操作情報を、コンテンツ出力制御部１０７に渡す。
【００５３】
以上の機能により、本発明の一実施形態における表示システム１は、巨大な表示面を有するデジタルサイネージにユーザが接近したとき、その接近した位置に対応する表示領域に、表示中のコンテンツと関連するコンテンツを表示することができる。これによって、ユーザは、近くでは全体像が把握しにくいコンテンツの内容を容易に把握することができ、また、遠い位置にあるコンテンツの項目を選択することができるようになる。
【００５４】
≪  ４．  動作例  ≫
次に、図８を用いて、本発明の一実施形態における管理装置１０の処理フローを説明する。
【００５５】
ステップＳ１０１において、通知受信部１０１は、センサ４０から、識別子とともに、ユーザの接近を検出した旨の通知を受信する。
【００５６】
ステップＳ１０２において、表示領域決定部１０４は、表示領域情報（図５）を参照し、ステップＳ１０１で受信した識別子と対応する表示領域を決定する。
【００５７】
ステップＳ１０３において、コンテンツ出力制御部１０７は、関連コンテンツ情報（図７）を参照し、当初表示していたコンテンツに関連する関連コンテンツを、コンテンツ送信部１０８を介して、表示装置３０に送信する。このとき、コンテンツ出力制御部１０７は、ステップＳ１０２で決定された表示領域に関連コンテンツを表示するよう、表示位置に関する情報（表示領域名又は座標）を、共に表示装置３０に送信する。
【００５８】
ステップＳ１０４において、操作情報受信部１０９が、操作情報を受信した場合には、ステップＳ１０５に進み、そうでない場合には、ステップＳ１０７に進む。
【００５９】
ステップＳ１０５において、操作情報が、ユーザによる関連コンテンツの表示を終了させるための所定の終了操作を示す場合には、ステップＳ１０８に進み、そうでない場合には、ステップＳ１０６に進む。
【００６０】
ステップＳ１０６において、コンテンツ出力制御部１０７は、操作に応じて、送信するコンテンツを更新する。例えば、表示装置３０の特定の表示領域に、商品の詳細ページや、その商品を購入可能な店舗への地図のページへのリンクを含むリストが表示されていたものとする。ここで、商品の詳細ページへのリンクが選択されたことを表す選択情報が受信されたとき、コンテンツ出力制御部１０７は、その詳細ページの内容を取得し、その内容を新たな関連コンテンツとして、表示装置３０に送信する。
【００６１】
ステップＳ１０７において、ステップＳ１０３又はステップＳ１０４の実行時より、所定の時間が経過した場合には、ステップＳ１０８に進み、そうでない場合には、ステップＳ１０４に戻る。
【００６２】
ステップＳ１０８において、コンテンツ出力制御部１０７は、関連コンテンツの送信を停止させる。
【００６３】
以上の処理の間、ステップＳ１０２で決定された表示領域以外の表示領域では、当初表示していたコンテンツが継続される。あるいは、当初表示していたコンテンツは、そのまま表示面全体に表示される一方、ステップＳ１０２で決定された表示領域内では、関連コンテンツが、当初のコンテンツと重畳して表示されてもよい。
【００６４】
次に、図９を用いて、本発明の一実施形態における表示システム１の動作例を、具体例を用いて説明する。ここでは、図１に示されるように、表示装置３０の表示面を構成する一の表示領域３０Ａに、ユーザが接近した例を用いて説明を行う。表示装置３０は、ユーザが表示領域３０Ａに接近する前に、ある商品の紹介動画であるコンテンツ「new_product_movie」を、表示面全体に表示しているものとする。
【００６５】
ステップＳ２０１において、表示装置３０Ａの近傍に設置されたセンサ４０Ａの検出部４０２は、ユーザの接近を検出する。
【００６６】
ステップＳ２０２において、センサ４０Ａの通知部４０３は、自らの識別子「ｓ１」とともに、ユーザの接近を検出した旨の通知を、管理装置１０に送信する。
【００６７】
ステップＳ２０３において、管理装置１０の表示領域決定部１０４は、図５の表示領域情報を参照し、関連コンテンツを表示する表示領域を、表示領域名が「３０ａ」の表示領域に決定する。
【００６８】
ステップＳ２０４において、管理装置１０のコンテンツ出力制御部１０７は、関連コンテンツ情報格納部１０６を参照し、関連コンテンツ「related_link」を、コンテンツ送信部１０８を介して、表示装置３０に送信する。このとき、コンテンツ出力制御部１０７は、表示装置３０が関連コンテンツの表示位置を特定できるように、ステップＳ２０３で決定された表示領域の、表示装置３０の表示面上での座標を、コンテンツの表示位置に関する情報として、表示装置３０に送信する。表示領域名に対応する座標は、図６に例示される表示領域定義情報を参照することによって、特定される。ここでは、表示領域名「３０ａ」に対応する座標（０，０）、（１９１９，１０７９）が送信される。
【００６９】
ステップＳ２０５において、表示装置３０の出力部３０２は、受信した関連コンテンツを、同様に受信した表示位置に関する情報に従って、所定の表示位置に出力する。ここでは、商品と関連する詳細ページや、その商品を購入可能な店舗への地図のページへのリンクを含むリストを、左下端部の座標（０，０）及び右上端部の座標（１９１９，１０７９）によって特定される表示領域に表示する。
【００７０】
ステップＳ２０６において、表示装置３０の操作受付部３０３は、ユーザからの操作を受け付ける。ここでは、ステップＳ２０５で出力されたリストにおいて、商品と関連する詳細ページへのリンクが、選択されたものとする。
【００７１】
ステップＳ２０７において、表示装置３０の操作情報送信部３０４は、ステップＳ２０６でなされた操作を示す操作情報を、管理装置１０に送信する。ここでは、ユーザによって、商品と関連する詳細ページへのリンクが選択されたことを示す操作情報が、管理装置１０へと送信される。
【００７２】
ステップＳ２０８において、管理装置１０のコンテンツ出力制御部１０７は、ステップＳ２０７で送信された操作情報に応じて、特定の表示領域に出力されていたコンテンツを更新する。ここでは、コンテンツ出力制御部１０７は、商品と関連する詳細ページの内容を、新たな関連コンテンツとする。
【００７３】
ステップＳ２０９において、管理装置１０のコンテンツ送信部１０８は、ステップＳ２０８で更新されたコンテンツを、表示装置３０に送信する。また、ステップＳ２０４と同様に、表示領域３０Ａを示す座標が、表示装置３０に送信される。
【００７４】
ステップＳ２１０において、表示装置３０の出力部３０２は、ステップＳ２０９で受信したコンテンツを、所定の表示位置に出力する。
【００７５】
この後、ユーザが表示領域前から立ち去り、所定時間が経過したものとする。
【００７６】
ステップＳ２１１において、管理装置１０のコンテンツ出力制御部１０７は、コンテンツの送信を停止させる。
【００７７】
ステップＳ２１２において、表示装置３０の出力部３０２は、関連コンテンツの表示を停止する。
【００７８】
この後、表示装置３０は、ある商品の紹介動画であるコンテンツ「new_product_movie」を、再度、表示面全体に表示する。
【００７９】
以上の動作により、本発明の一実施形態における表示システム１は、特に大きな表示面を有するデジタルサイネージに表示された項目への、ユーザによる操作を補助することができる。
【００８０】
≪  ５．  変形例  ≫
次に、上記で説明した表示システム１の変形例である、表示システム１Ａを説明する。表示システム１Ａでは、ユーザの所持する移動通信端末２０が、上述したセンサ４０と通信し、ユーザＩＤのようなユーザ情報を、センサ４０に送信する。センサ４０は、そのユーザの接近を検出したとき、自らの識別子と、ユーザ情報とを、管理装置１０に送信する。管理装置１０は、ユーザ情報を受け取り、現在表示しているコンテンツが、そのユーザ情報と関連するコンテンツである場合に、関連コンテンツを、所定の表示領域に表示させる。この処理によって、表示中のコンテンツに関心のないユーザに対して、関連コンテンツを提示するという、無駄な処理を省略することができ、管理装置１０及び表示装置３０の処理の負担を低減することができる。
【００８１】
以下、図１０−図１３を用いて、既に説明した表示システム１との違いに着目して説明する。なお、表示システム１Ａを構成する各装置のハードウェア構成は、図１−図３等を用いて説明した通りである。
【００８２】
図１０は、表示システム１Ａの機能ブロック図である。ここでは、図４に対して、移動通信端末２０が追加されている。移動通信端末２０は、ユーザ情報格納部２０１と、送信部２０２とを有する。ユーザ情報格納部２０１は、ユーザ情報を格納する。ユーザ情報は、移動通信端末２０を所持するユーザを一意に特定するための識別子であり、例えば、ユーザ名またはユーザＩＤである。送信部２０２は、ネットワーク７０を介して、ユーザ情報を、センサ４０に送信する。
【００８３】
また、表示システム１Ａのセンサ４０は、受信部４０４を有する。受信部４０４は、移動通信端末２０の送信部２０２から送信されたユーザ情報を受信する。受信部４０４は、受信したユーザ情報を、通知部４０３に渡す。また、通知部４０３は、検出部４０２がユーザの接近を検出すると、識別子とともに、ユーザ情報を、管理装置１０に送信する。
【００８４】
また、表示システム１Ａの管理装置１０は、ユーザ情報格納部１１０を有する。ユーザ情報格納部１１０は、図１１に例示されるテーブルにより、ユーザ情報を格納する。図１１のユーザ情報は、コンテンツ名と、当該コンテンツ名で特定されるコンテンツに関連のあるユーザのユーザ情報とを関連付ける。当該関連付けは、予め、管理装置１０の管理者等によってなされている。
【００８５】
また、管理装置１０のコンテンツ出力制御部１０７は、通知受信部１０１から受け取ったユーザ情報をキーとして、図１１のユーザ情報を参照して、現在表示中のコンテンツのコンテンツ名と、そのユーザ情報とが、関連付けられているかどうかを判定する。その結果、現在表示中のコンテンツと、そのユーザ情報とが、関連付けられている場合には、既に述べたように、関連コンテンツを特定し、所定の表示領域に、当該関連コンテンツを出力させる。一方、現在表示中のコンテンツと、そのユーザ情報とが、関連付けられていない場合には、関連コンテンツに関する処理は行わない。
【００８６】
図１２は、表示システム１Ａの管理装置１０の処理フローを表すフローチャートである。
【００８７】
ステップＳ３０１において、通知受信部１０１は、センサ４０から、識別子及びユーザ情報とともに、ユーザの接近を検出した旨の通知を受信する。
【００８８】
ステップＳ３０２において、表示領域決定部１０４は、表示領域情報（図５）を参照し、ステップＳ３０１で受信した識別子と対応する表示領域を決定する。
【００８９】
ステップＳ３０３において、コンテンツ出力制御部１０７は、図１１のユーザ情報を参照して、ステップＳ３０１で順したユーザ情報が、現在表示中のコンテンツと、関連付けられているかどうかを判定する。
【００９０】
ステップＳ３０４において、ステップＳ３０３の判定の結果、関連付けがなされている場合、すなわち、ユーザが表示中のコンテンツと関連がある場合、ステップＳ３０５に進み，そうでない場合には、処理を終了する。
【００９１】
ステップＳ３０５以降の処理は、図７のステップＳ１０３の処理と同様であるため、説明は省略する。
【００９２】
図１３は、表示システム１Ａの動作例を表すシーケンス図である。ここでは、図１に示されるように、表示装置３０の表示面を構成する一の表示領域３０Ａに、あるユーザ「ｕ１」が接近した例を用いて説明を行う。表示装置３０は、ユーザが表示領域３０Ａに接近する前に、ある商品の紹介動画であるコンテンツ「new_product_movie」を、表示面全体に表示しているものとする。なお、コンテンツ「new_product_movie」は、ユーザ「ｕ１」が関心のある商品に関するコンテンツであるものとする。
【００９３】
ステップＳ４０１において、表示装置３０Ａの近傍に設置されたセンサ４０Ａの検出部４０２は、ユーザ「ｕ１」の接近を検出する。
【００９４】
ステップＳ４０２において、ユーザ「ｕ１」の所持する移動通信端末３０の送信部２０２は、ユーザ情報格納部２０１に格納されたユーザ情報「ｕ１」を、センサ４０Ａに送信する。
【００９５】
ステップＳ４０３において、センサ４０Ａの通知部４０３は、自らの識別子「ｓ１」及び、ステップＳ４０２で受信したユーザ情報「ｕ１」とともに、ユーザの接近を検出した旨の通知を、管理装置１０に送信する。
【００９６】
ステップＳ４０４において、管理装置１０の表示領域決定部１０４は、図５の表示領域情報を参照し、関連コンテンツを表示させる表示領域を、表示領域名が「３０ａ」の表示領域に決定する。
【００９７】
ステップＳ４０５において、管理装置１０のコンテンツ出力制御部１０７は、図１１のユーザ情報を参照して、ステップＳ３０１で順したユーザ情報「ｕ１」が、現在表示中のコンテンツ「new_product_movie」と、関連付けられているかどうかを判定する。ここでは、図１１より、コンテンツ出力制御部１０７は、ユーザ情報「ｕ１」と、コンテンツ名「new_product_movie」とが関連付けされていると判定する。
【００９８】
ステップＳ４０６−Ｓ４１４は、図８のステップＳ２０４−Ｓ２１２と同様である。
【００９９】
なお、ステップＳ４０５において、ユーザ情報が、表示中のコンテンツと関連付けられていない場合には、ステップＳ４０６−Ｓ４１４の処理は実行されない。
【０１００】
以上により、本表示システム１Ａは、表示中のコンテンツに興味のないユーザに対して、関連コンテンツを提示するという、無駄な処理を省略し、管理装置１０及び表示装置３０の処理の負担を低減することができる。
【０１０１】
なお、上記の例では、ユーザとコンテンツとの関連付けのために、コンテンツ名と、ユーザ情報とを用いた。しかしながら、ユーザ情報の代わりに、移動通信端末２０上に導入されているアプリケーションの識別子や、移動通信端末２０のブラウザの訪問履歴に含まれるＵＲＬ（又はそのドメイン名）が用いられてもよい。
【０１０２】
アプリケーションの識別子や、ブラウザの履歴は、ユーザ情報と同様に、移動通信端末２０上に格納され、ユーザの表示領域への接近に伴い、センサ４０を通じて、管理装置１０に送信される。管理装置１０は、表示装置３０に表示中のコンテンツと関連のあるアプリケーションやＵＲＬを、図１１のユーザ情報と同様に管理する。そして、ユーザの移動通信端末２０から、これらの情報を取得することにより、関連コンテンツを表示するか否かの判定をきめ細かく行うことができる。
【符号の説明】
【０１０３】
１  表示システム
１０  管理装置
２０  移動通信端末
３０  表示装置
４０  センサ
６０、７０  ネットワーク
１０１  通知受信部
１０２  表示領域情報格納部
１０３  表示領域定義情報格納部
１０４  表示領域決定部
１０５  コンテンツ格納部
１０６  関連コンテンツ情報格納部
１０７  コンテンツ出力制御部
１０８  コンテンツ送信部
１０９  操作情報受信部
１１０  ユーザ情報格納部
２０１  ユーザ情報格納部
２０２  送信部
３０１  コンテンツ受信部
３０２  出力部
３０３  操作受付部
３０４  操作情報送信部
４０１  識別子格納部
４０２  検出部
４０３  通知部
４０４  受信部
【先行技術文献】
【特許文献】
【０１０４】
【特許文献１】特開２０１２−９８５９８号公報
【図１】
2014170040.tif 000003
【図２】
2014170040.tif 000004
【図３】
2014170040.tif 000005
【図４】
2014170040.tif 000006
【図５】
2014170040.tif 000007
【図６】
2014170040.tif 000008
【図７】
2014170040.tif 000009
【図８】
2014170040.tif 000010
【図９】
2014170040.tif 000011
【図１０】
2014170040.tif 000012
【図１１】
2014170040.tif 000013
【図１２】
2014170040.tif 000014
【図１３】
2014170040.tif 000015